(57)【要約】液体合成品を保持するための変形可能なボトル１と、ディスペンサキャップ５と、浸漬チューブ５０とを備え、ディスペンサキャップ５が、  ａ）ボトルへの取付けのための手段１５と、開口部を画定しているセグメント２２と、浸漬チューブのための受け部２７Ｂとを備え、開口部が、浸漬チューブおよびそれ以外の手段の両方を介して、ボトル１の内部と底部セクション５Ｂの外部との間の流体的な接続を提供している底部セクション５Ｂと、  ｂ）底部セクションの外部で保持され、カバー１４、３８を備え、前記カバーがスプレー孔４０を画定している可動部材１０とを備え、  スプレー孔４０が、遮蔽手段２６によって内部から遮蔽されている動作不能状態と、カバー１４、３８が前記遮蔽手段２６から離れている動作可能状態との間で装置を変更するように、可動部材１０が機能する、スクイーズスプレー装置。
2005517601.tif 000002
【特許請求の範囲】
【請求項１】
スクイーズスプレー装置であって、液体合成品を保持するための変形可能なボトル（１）と、変形可能なボトル（１）に取り付けられたその位置に留まるディスペンサキャップ（５）と、一方の端部がディスペンサキャップ（５）によって受けられ、他方の端部が変形可能なボトル（１）の内側を終点とする浸漬チューブ（５０）とを備え、前記ディスペンサキャップ（５）が、
ａ）変形可能なボトル（１）への取付けのための手段（１５）と、少なくとも１つの開口部（２３Ａ）を画定しているセグメント（２２）と、前記セグメント（２２）の内部面上の浸漬チューブ（５０）のための受け部（２７Ｂ）とを備え、少なくとも１つの開口部（２３Ａ）が、浸漬チューブ（５０）およびそれ以外の手段の両方を介して、変形可能なボトル（１）の内部と底部セクション（５Ｂ）への外部との間の流体的な接続を提供する底部セクション（５Ｂ）と、
ｂ）底部セクション（５Ｂ）の外部で保持され、底部セクション（５Ｂ）の前記セグメント（２２）のためのカバー（１４、３８）を備え、前記カバー（１４、３８）がスプレー孔（４０）を画定している可動部材（１０）とを備え、
スプレー孔（４０）が、底部セクション（５Ｂ）の一部を形成している遮蔽手段（２６）によって内部から遮蔽されている動作不能状態と、スプレー孔（４０）を画定しているカバー（１４、３８）が前記遮蔽手段（２６）から離れている動作可能状態との間で装置を変更するように、可動部材（１０）が機能する、スクイーズスプレー装置。
【請求項２】
動作中、少なくとも１つの開口部を画定している底部セクションのセグメントおよびそのためのカバーが、変形可能なボトルから吐出された空気および液体合成品がスプレー孔を通って排出される前に互いに混合される渦巻型チャンバを形成する請求項１に記載のスクイーズスプレー装置。
【請求項３】
動作中、渦巻型チャンバ内で互いに混合された空気および液体合成品の両方が、ボトルを圧搾することによって変形可能なボトルからそこへ吐出される請求項２に記載のスクイーズスプレー装置。
【請求項４】
可動部材が、遮蔽手段から所定の距離上方にスプレー孔を画定しているカバーの運動を防止するように底部セクションと相互作用する保持手段を備え、カバーが遮蔽手段から前記所定の距離にあるとき、装置が動作可能状態にある請求項１から３のいずれかに記載のスクイーズスプレー装置。
【請求項５】
可動部材が、スプレー孔が遮蔽手段によって内部から遮蔽されている位置から離れてスプレー孔を画定しているカバーの運動に対する抵抗を提供するために、底部セクションと相互作用する保持手段を備える請求項１から４のいずれかに記載のスクイーズスプレー装置。
【請求項６】
装置が、それぞれ、カバーを遮蔽手段から離れるようにおよび遮蔽手段に向かうように滑動させることによって、その動作可能状態とその動作不能状態の間で変更可能である請求項１から５のいずれかに記載のスクイーズスプレー装置。
【請求項７】
装置が、それぞれ、カバーを遮蔽手段から離れるようにおよび遮蔽手段に向かうようにねじ込むことによってその動作可能状態とその動作不能状態の間で変更可能である請求項１から５のいずれかに記載のスクイーズスプレー装置。
【請求項８】
浸漬チューブが、ディスペンサキャップの底部セクションから外向きに突き出しているチューブの内部で受けられ、前記チューブが、少なくとも１つの開口部を画定している底部セクションのセグメントをその外端部に有する請求項１から７のいずれかに記載のスクイーズスプレー装置。
【請求項９】
チューブの内部が、多角形断面の部分を備える請求項８に記載のスクイーズスプレー装置。
【請求項１０】
少なくとも１つの開口部を画定している底部セクションのセグメントが、２つ以上の開口部を画定し、各開口部が、浸漬チューブおよびそれ以外の手段の両方を介して、変形可能なボトルの内部と、底部セクションの前記セグメントへの外部との間の流体的な接続を個別に提供する請求項１から９のいずれかに記載のスクイーズスプレー装置。
【請求項１１】
少なくとも１つの開口部を画定している底部セクションのセグメントが、２つ以上の開口部を画定し、１つまたは複数の開口部が、浸漬チューブを介しての流体的な接続なしで、変形可能なボトルの内部と、底部セクションの前記セグメントへの外部との間の流体的な接続を提供する請求項１から９のいずれかに記載のスクイーズスプレー装置。
【請求項１２】
少なくとも１つのオリフィスを画定している底部セクションのセグメントが、少なくとも３つのオリフィスを画定している請求項１から１１のいずれかに記載のスクイーズスプレー装置。
【請求項１３】
少なくとも３つのオリフィスを画定している底部セクションのセグメントが、多角形断面のチューブの内部の部分の側面の数に等しい数のいくつかのオリフィスを画定している請求項１１および１２に記載のスクイーズスプレー装置。
【請求項１４】
チューブの内部が三角形断面の部分を備える請求項１１から１３のいずれかに記載のスクイーズスプレー装置。
【請求項１５】
少なくとも１つの開口部を画定している底部セクションのセグメントのためのカバーが、キャップで覆われたチューブであり、そのキャップ部分がスプレー孔を画定し、その内部側壁が、底部セクションから外向きに突き出しているチューブの外部側壁を覆ってぴったりと嵌合している請求項８から１４のいずれかに記載のスクイーズスプレー装置。
【請求項１６】
少なくとも１つの開口部を画定しているセグメントが、管状の全体形状である請求項１から１５のいずれかに記載のスクイーズスプレー装置。
【請求項１７】
少なくとも１つの開口部を画定している管状のセグメントが、遮蔽手段によってその外端部で閉鎖されている請求項１６に記載のスクイーズスプレー装置。
【請求項１８】
少なくとも１つの開口部を画定しているセグメントが、円錐台型である請求項１７に記載のスクイーズスプレー装置。
【請求項１９】
少なくとも１つの開口部が、管状のセクションの壁を通って長手方向に走るスリットである請求項１６から１８のいずれかに記載のスクイーズスプレー装置。
【請求項２０】
少なくとも１つの開口部を画定している管状のセグメントが、請求項８に記載のチューブの外端部の中央に配置されており、それと共通の軸を共有している請求項１６から１９のいずれかに記載のスクイーズスプレー装置。
【請求項２１】
少なくとも１つの開口部を画定している管状のセグメントが、請求項８に記載のチューブの対応する外寸法よりも小さい、軸と直交する最大外寸法を有する請求項２０に記載のスクイーズスプレー装置。
【請求項２２】
ディスペンサキャップが、変形可能なボトルの上側部分を覆って嵌合する外側スカートを備える請求項１から２１のいずれかに記載のスクイーズスプレー装置。
【請求項２３】
外側スカートの下端部が、サドル型であり、変形可能なボトルの側壁内の対応するくぼみ内に嵌合する請求項２２に記載のスクイーズスプレー装置。
【請求項２４】
請求項１から２３のいずれかに記載のスクイーズスプレー装置の部品として使用するために適しているディスペンサキャップ。
【請求項２５】
請求項１から２３のいずれかに記載のスクイーズスプレー装置の使用を含む、液体化粧品の局所的塗布の方法。
【請求項２６】
請求項２５に記載の液体消臭剤の局所的塗布の方法。
【請求項２７】
液体合成品を含む請求項１から２３のいずれかに記載のスクイーズスプレー装置を備える商品。
【請求項２８】
液体合成品が人体への局所的塗布に適している消臭または制汗剤である請求項２７に記載の商品。
【請求項２９】
液体合成品がＣ２からＣ４アルコールを含む請求項２７または２８に記載の商品。
【発明の詳細な説明】
【技術分野】
【０００１】
本発明は、スクイーズスプレー装置および液体化粧品の人体への塗布の方法に関する。
【背景技術】
【０００２】
液体化粧品を塗布するための様々な形態の装置が、知られている。スプレー塗布のために、推進剤型エアゾール装置が広く使用されている。別法として、スクイーズスプレー装置が使用されることもある。不運なことに、液体化粧品のスクイーズスプレーディスペンスは、通常、低いスプレー品質に至り、また、化粧品が人体に塗布されるとき、好ましくない感覚認知に至る。
【０００３】
従来技術のスクイーズスプレー装置は、一般に洗練されていない装置であり、不注意で圧力下に置かれたとき、たとえばハンドバックまたは上着ポケット内で運ばれているとき、偶発的に排出する傾向があるという欠点を有する。このような偶発的な排出は、製品を無駄にするだけでなく、偶発的にスプレーされた物質が不都合な損傷につながったりまたは洗濯の必要につながったりする。
【０００４】
様々な発表が、スクイーズスプレー装置についての文献に存在しており、いくつかは、上述の問題のうちの１つまたは複数に対処している。英国特許公開第２，２８４，２０２号明細書（１９９４年、Ｇｅｎｅ  Ｓｔｕｌｌ）は、開けられたとき、封入された製品の複数の流れの噴霧を可能にするスクイーズボトル用の蓋キャップを開示している。米国特許第５，２４０，１４９号明細書（１９９３年、Ｐｅｒｆｅｃｔ−Ｖａｌｏｉｓ  Ｖｅｎｔｉｌ）もまた、スクイーズボトル用の蓋キャップを開示しているが、開示されている蓋キャップの排出バルブは、ボトルを圧搾することによって簡単に開けられることができる。米国特許第４，２２６，３６７号明細書（１９８０年、Ｈａｙｅｓ）は、回転自在なキャップおよび位置合わせ可能なオリフィスを備えるスクイーズスプレー装置を開示している。米国特許第４，１０２，４７６号明細書（Ｃｉｂａ−Ｇｅｉｇｙ）は、カバー上にエアチェックバルブを備えるスクイーズボトル装置を開示している。米国特許第４，０２０，９７９号明細書（１９７７年、Ｓｕｍｍｉｔ  Ｐａｃｋａｇｉｎｇ  Ｓｙｓｔｅｍｓ）は、改良されたスプレー噴霧を提供するスクイーズスプレー装置を開示している。
【発明の開示】
【発明が解決しようとする課題】
【０００５】
本発明は、多くの初期のスクイーズスプレー装置に付随する上記に述べた問題点を克服する。他の利点は、使用、特に片手の使用が容易であること、堅牢性、および製造が容易であることを含んでいる。
【０００６】
液体化粧品を人間の皮膚に塗布するために使用されるとき、本明細書に記載された装置、特に好ましい実施形態は、使用者による化粧品の良い感覚認知に至る。
【課題を解決するための手段】
【０００７】
本発明の第１の態様によると、スクイーズスプレー装置であって、液体合成品を保持するための変形可能なボトルと、変形可能なボトルに取り付けられたその位置に留まる（ｌｅａｖｅ−ｉｎ−ｐｌａｃｅ）ディスペンサキャップと、一方の端部がディスペンサキャップによって受けられ、他方の端部が変形可能なボトルの内側を終点とする浸漬チューブ（ｄｉｐ−ｔｕｂｅ）とを備え、前記ディスペンサキャップが、
ａ）変形可能なボトルへの取付けのための手段と、少なくとも１つの開口部を画定しているセグメントと、前記セグメントの内部面上の浸漬チューブのための受け部とを備え、少なくとも１つの開口部が、浸漬チューブおよびそれ以外の手段の両方を介して、変形可能なボトルの内部と底部セクションへの外部との間の流体的な接続を提供している底部セクションと、
ｂ）底部セクションの外部で保持され、底部セクションの前記セグメントのためのカバーを備え、前記カバーがスプレー孔を画定している可動部材とを備え、
スプレー孔が、底部セクションの一部を形成している遮蔽手段によって内部から遮蔽されている動作不能状態と、スプレー孔を画定しているカバーが前記遮蔽手段から離れている（ａｔ  ａ  ｄｉｓｔａｎｃｅ）動作可能状態との間で装置を変更するように、可動部材が機能する、スクイーズスプレー装置が提供される。
【０００８】
本発明の第２の態様によると、本発明の第１の態様によるスクイーズスプレー装置の部品として使用するために適しているディスペンサキャップが提供されている。
【０００９】
本発明の第３の態様によると、本発明の第１の態様に記載のスクイーズスプレー装置の使用を含む液体化粧品の局所的塗布の方法が提供されている。
【００１０】
本発明の第４の態様によると、液体合成品を含む本発明の第１の態様に記載のスクイーズスプレー装置を備える商品が提供されている。
【００１１】
本発明の第３および第４の態様を参照すると、本発明のスクイーズスプレー装置は、様々な液体合成品とともに使用されてもよい。これは、液体化粧品、特に消臭剤、制汗剤、ヘアスプレーおよび芳香剤の人体への局所的な塗布に適している。特に適している化粧品は、消臭剤および制汗剤である。消費者は、このような合成品の効果のおよび／または感覚の利益を得ることができる。合成品は、液体媒体材料の１つまたは複数の構成要素の均質溶液、乳液、または懸濁液の形態をとる。均質溶液は、そのかなりの安定性のため、およびディスペンサの遮蔽の問題がないため、その最も好ましいオプションである。
【００１２】
上記に述べた感覚的および／または効率的な利点は、装置に使用される合成品が、Ｃ２からＣ４のアルコール、たとえばエタノール、プロピレングリコール、プロパノール、またはイソプロパノールを含む人体への塗布用の液体化粧品であるとき、特に顕著である。適切な合成品は、通常、合成品の重さによって、５％から９５％、特に２５％から８０％、および特に４０％から７５％のレベルで、Ｃ２からＣ４のアルコールを含んでいる。エタノールを含む液体合成品が特に適している。
【００１３】
変形可能なボトルはいかなる形状であってもよい。たとえば、真直ぐな広口びんまたはフラスコでもよい、またはくびれたデザインを有してもよい。好ましくは、ボトルは、倒れることなく、その上に直立することができる底部を備える管状の形状である。底部は本質的に平坦であってもよい。底部が、中央領域で底部の内部に向かって隆起していることが好ましい。ボトルの断面は、好ましくは円形である。別の好ましい特徴は、その上にディスペンサキャップを取り付けることができる首部分の存在である。首部分を除いた通常の寸法は、高さについては５ｃｍから２０ｃｍであり、円形断面の容器の直径については３ｃｍから８ｃｍ、または非円形断面の容器の最大断面寸法については３ｃｍから１２ｃｍである。管状の容器の側壁は、それらが手の圧力下で変形することを可能にする厚さを有し、通常の厚さは０．３ｍｍから１．２ｍｍである。底部は、好ましくは０．６ｍｍから２．５ｍｍの厚さを有する。
【００１４】
ボトルは、たとえばポリエチレン製などの、いかなる適したプラスチック材料製でもよい。高密度および低密度ポリエチレンの混合物が、有利には採用されてよい。
【００１５】
変形可能なボトルが、液体化粧品の局所的塗布のために適しているスクイーズスプレー装置の部品として使用されるとき、その内部容積は、通常１０ｃｍ３から３００ｃｍ３、特に３０ｃｍ３から２００ｃｍ３、および特に５０ｃｍ３から１５０ｃｍ３である。
【００１６】
ディスペンサキャップが、スクイーズスプレー装置の変形可能なボトルに取り付けられている。ディスペンサキャップは、スクイーズスプレー装置の使用中取り外されない、これが、「その位置に留まる」ということによって意味するものである。
【００１７】
ディスペンサキャップは、いくつかの形態の取付け手段によって変形可能なボトルに取り付けられた底部セクションを備える。適切な取付け手段は、変形可能なボトルの首部分上のねじ山付きチューブと対合するように設計されたねじ山付きチューブである。別法として、取付け手段は、変形可能なボトル上に嵌合する摩擦嵌めおよび／または、底部セクション上の隣接する表面上の突起と相互作用する突起であってもよい。取付け手段が上記に記載のようなねじ山付き要素を備えるとき、ねじ山付き要素の締め過ぎを防止する手段が存在することも好ましい。
【００１８】
好ましくは、底部セクションは、変形可能なボトルの側壁の上側部分を覆って嵌合する外側スカートを備える。この形態は、変形可能なボトル上での底部セクションの保持を支援することができる。特に好ましい実施形態では、外側スカートの下縁部は、変形可能なボトルの側壁内の対応する形状にされたくぼみ内に嵌合するような形状にされている。この形態は、底部セクションの変形可能なボトルへの取付け手段がこのような形状であるとき、ねじ山の締めすぎを防止することができる。外側スカートの下縁部に適した形状はサドル型である。
【００１９】
底部セクションは、変形可能なボトルを主として閉じる働きをする。しかし、少なくとも１つの開口部を画定している底部セクションのセグメントが、変形可能なボトルの内部と前記セグメントの外部との間の流体的な接続を提供する。セグメントは、その内部面上に（すなわち、変形可能なボトルの内部に面して）浸漬チューブの受け部を有し、１つまたは複数の開口部が、浸漬チューブおよびそれ以外の手段の両方を介して、変形可能なボトルの内部との流体的な接続を提供する。受け部は、浸漬チューブの孔を閉鎖または遮蔽することなく、底部セクションの内部面の近傍で、浸漬チューブの一方の端部を保持する構造である。
【００２０】
ある実施形態では、受け部は、底部セクションから外向きに突き出しているチューブの内部にある（すなわち、変形可能なボトルから離れている）。外向きに突き出しているチューブは、一般に、少なくとも１つの開口部をその外端部に画定している底部セクションのセグメントを有する。好ましくは、チューブの内部空間は、多角形断面の部分を備える。三角形断面が特に好ましい。これらのある実施形態では、少なくとも１つのオリフィスを画定している底部セクションのセグメントが、多角形断面のチューブの内部の部分の側面の数に等しい数のいくつかのオリフィスを好ましくは画定している。
【００２１】
好ましい実施形態では、少なくとも１つの開口部を画定している底部セクションのセグメントが、好ましくはその外端部に向かって狭まる、すなわち円錐台形状を有する管状の全体形状である。管状のセグメントは、前の段落に記載したように外向きに突き出しているチューブの外端部の中央に配置され、それと共通の軸を共有してもよい。好ましくは、少なくとも１つのオリフィスを画定している管状のセグメントは、外向きに突き出しているチューブよりも幅が狭い、すなわち、外向きに突き出しているチューブの対応する外寸法よりも小さい、軸と直交する最大外寸法を有する。好ましくは、少なくとも１つの開口部は、管状のセクションの側壁を通って長手方向に走るスリットである。
【００２２】
変形可能なボトルの内部と、少なくとも１つの開口部を画定している底部セクションのセグメントへの外部との間の流体的な接続は、浸漬チューブおよびそれ以外の手段を介して提供される。浸漬チューブを介して以外の流体的な接続は、変形可能なボトルの内部と、少なくとも１つの開口部を画定している底部セクションのセグメントへの外部との間を、空気が通過するための手段を提供する。２つ以上の開口部が、底部セクションの前記セグメントによって画定されるとき、２つの異なる実施形態が可能である。第１の実施形態では、各開口部が浸漬チューブおよびそれ以外の手段の両方を介して、変形可能なボトルの内部と、底部セクションの前記セグメントへの外部との間の流体的な接続を個別に提供する。第２の実施形態では、１つまたは複数の開口部が、浸漬チューブを介しての流体的な接続なしで、変形可能なボトルの内部と、底部セクションの前記セグメントへの外部との間の流体的な接続を提供する。この後者の実施形態では、浸漬チューブを介しての流体的な接続は、他の開口部の１つによって提供される。
【００２３】
底部セクションの上述のセグメントによって定義されるオリフィスの数は、好ましくは少なくとも３つであり、３つのオリフィスが特に好ましい。
【００２４】
底部セクションは、スプレー孔のための遮蔽手段（下を参照）を備え、前記遮蔽手段は、前記スプレー孔を遮蔽するのに十分なサイズの底部セクションの外部面上の連続的な表面である。好ましくは、遮蔽手段は、底部セクションから外向きに突き出している管状の要素の外端部にある。より好ましくは、管状の要素は、少なくとも１つの開口部を画定している底部セクションのセグメントを備える。前記セグメントが管状の全体形状である好ましい実施形態では、前記セグメントが遮蔽手段によってその外端部で閉鎖されることが特に好ましい。
【００２５】
ディスペンサキャップはまた、変形可能なボトルの外部で保持されている可動部材を備える。可動部材は、装置を動作不能状態から動作可能状態へ、およびその逆に変更することが可能である。部材は、装置がその動作可能状態、その動作不能状態、またはいくつかの中間状態にあるいずれのときにも、装置から取り外されないようにして保持されている。好ましくは、可動部材は、ディスペンサキャップの底部セクションに取り付けられている。取付け手段は、舌部および溝構成を備えてもよく、好ましくは、ディスペンサキャップの側面に配置されている。
【００２６】
可動部材は、少なくとも１つの開口部を画定している底部セクションのセグメントのためのカバーを備え、前記カバーは、装置がその動作不能状態にあるとき上述の遮蔽手段によって下部から遮蔽されるスプレー孔を画定している。装置がその動作可能状態にあるとき、スプレー孔を画定しているカバーは、遮蔽手段からある距離にあり、前記距離はゼロではない。
【００２７】
好ましい実施形態では、少なくとも１つの開口部を画定している底部セクションのセグメントおよびそのためのカバーが、変形可能なボトルから吐出された空気および液体合成品がスプレー孔を通って排出される前に互いに混合される渦巻き型チャンバを形成する。空気および液体合成品は、動作の好ましい形態で、圧搾することによって変形可能な本体から渦巻き型チャンバ内へ押し込まれる。
【００２８】
一実施形態では、装置は、それぞれ、カバーを遮蔽手段から離れるように、および遮蔽手段に向かうように滑動させることによって、その動作可能状態とその動作不能状態の間で変更可能である。第２の実施形態では、装置は、それぞれ、カバーを遮蔽手段から離れるようにおよび遮蔽手段に向かうようにねじ込むことによってその動作可能状態とその動作不能状態の間で変更可能である。前者の実施形態は、片手の使用を容易にするために好ましい。
【００２９】
好ましい実施形態では、スプレー孔を画定しているカバーは、装置の上部底部軸と実質上直交するプレートである。プレートは、スプレー孔が遮蔽手段によって下側から遮蔽され、装置が動作不能である下側位置から、スプレー孔が遮蔽手段からある距離にあり、装置が動作可能である上側位置へ移動可能である。実質上直交するプレートは、外部から見たとき凸状であってよい、また、底部セクションの外側部分のくぼみの中に嵌合するような形状にされてもよい。
【００３０】
スプレーを画定しているカバーは、プレートを上昇または下降させるためにディスペンサキャップの側面を上下に滑動し、それによって装置を、それぞれその動作可能状態と動作不能状態の間で変更する側部部片に取り付けられてもよい。この性質の側部部片は、片手の使用の場合、特に有利である。
【００３１】
特に好ましい実施形態では、少なくとも１つの開口部を画定している底部セクションのセグメントのためのカバーが、キャップで覆われた（ｃａｐｐｅｄ）チューブであり、そのキャップ部分がスプレー孔を画定し、前に記載したように、その内部側壁が、底部セクションから外向きに突き出しているチューブの外部側壁を覆ってぴったりと嵌合している。
【００３２】
可動部材は、遮蔽手段から所定の距離上方にスプレー孔を画定しているカバーの運動を防止するために、底部セクションと相互作用する保持手段を備えてもよく、カバーが遮蔽手段から前記所定の距離にあるとき、装置は動作可能状態にある。前記保持手段または別のものは、スプレー孔が遮蔽手段によって内部から遮蔽されている位置から離れてスプレー孔を画定しているカバーの運動に対する抵抗を提供するために底部セクションと相互作用する。好ましくは、可動部材は、これらの機能の両方を達成することができる保持手段を備える。
【００３３】
スプレー孔は、好ましくは１ｍｍ以下、より好ましくは０．６ｍｍ以下の最大断面サイズを有する。スプレー孔は、好ましくは円形の断面形状を有し、好ましくは外部に向かって断面サイズが広がっている。
【００３４】
ディスペンサキャップを変形可能なプラスチックボトルの下側領域と結合する浸漬チューブは、変形可能なボトルの圧搾の際、ボトルの下側領域からディスペンサキャップ内への液体合成品の流れを可能にするようにして、ディスペンサキャップによって受けられている。浸漬チューブは、変形可能なプラスチックボトルの底部へ好ましくは延びている。通常、浸漬チューブは、ポリエチレンから製造され、ある程度の可撓性を有する。通常、チューブの孔は、０．５ｍｍから１．５ｍｍであり、チューブの壁厚は、０．２ｍｍから０．７ｍｍの間である。
【００３５】
本発明を一般的な形で説明してきたが、本発明による実施形態を、添付の図面を参照にして一例として、ここでより完全に説明する。
【発明を実施するための最良の形態】
【００３６】
以下の説明で称される「チューブ」および「管状の」構造はすべて、別段の記載のない場合は円形断面のものである。
【００３７】
図１に示されている変形可能なプラスチックボトル（１）は、図２Ａおよび図２Ｂに示したディスペンサキャップ（５）と係合するためのねじ山（４）を有する首部分（３）に向かって円錐形セクション（２）を介して狭まっている管状のボトルである。ボトル（１）の上部に向かって、円錐形セクション（２）のすぐ下に、その中にディスペンサキャップ（５）のスカート（８）が嵌合する側壁（７）内のくぼみ（６）がある。底部（９）の中央領域は、ボトル（１）の内部に向かってわずかに隆起している。
【００３８】
ディスペンサキャップ（５）が図２Ａおよび図２Ｂで示されている。表示をわかりやすくするために、図２Ｂは底部セクション（５Ｂ）を示し、図２Ａは可動部材（１０）を示している。ディスペンサキャップ（５Ｂ）の底部セクションは、円形の断面であり、外側スカート（１１）およびドーム型の上部（１２）を備え、中央の部分（１３）は欠けており、その中央に可動部材（１０）のドーム型セクション（１４）（図２Ａ参照）が嵌合する。ドーム型の上部（１２）の内側に、図１に示した変形可能なプラスチックボトル（１）の首部分（２）上のねじ山（４）と係合するためにその内部表面上にねじ山（１６）を有するチューブ（１５）が下向きに突き出している。下向きに突き出しているチューブ（１５）の中の、ねじ山（１６）高さの上方に、下向きに突き出しているチューブ（１５）の長手方向軸と直交する棚（ｓｈｅｌｆ）（１８）があり、そこから、内側チューブ（１９）が、装置の内部に向かって下向きに突き出している。内側チューブ（１９）は平坦な下端部（２０）を有し、そこから別のチューブ（２１）が上向きに、すなわち底部セクション（５Ｂ）から外向きに突き出している。後者のチューブ（２１）は、外部断面は円形であるが、内部断面は三角形である（図５参照）。外側に突き出しているチューブ（２１）の外端部に、棚（１８）とおよそ同じ高さに、３つの開口部（２３）を画定している底部セクション（５Ｂ）のセグメント（２２）があるが、そのうちの１つ（２３Ａ）のみが図２Ｂに示されている。このセグメント（２２）は、上述の外向きに突き出しているチューブ（２１）の頂部の中央に配置され、それと共通の軸を共有している外向きに突き出しているチューブである。セグメントは、その高さ全体を通じて外向きに突き出しているチューブ（２１）よりも幅が狭く、その外端部に向かって狭まっており、円錐台形の形状を与えている。３つの開口部（２３）は、外向きに突き出しているチューブ（２１）のカバーされた上部（２５）から、セグメント（２２）の外端部の平坦なストッパ（２６）まで長手方向に走るセグメント（２２）の側壁（２４）内の等間隔のスリットである。セグメント（２２）の孔（２７Ａ）および上向きに突き出しているチューブ（２１）の孔（２７Ｂ）は、チューブが定位置にねじ込まれたとき、互いと、および変形可能なプラスチックボトル（１）の内部と流体的に接続する。平坦なストッパ（２６）は、スプレー孔（４０）に対する遮蔽手段として働き、上向きに突き出しているチューブ（２１）の孔（２７Ｂ）は、浸漬チューブ（５０）（下を参照）のために受け部として働く。
【００３９】
ディスペンサキャップ（５）の片側に、外側スカート（１１）内のくぼみ（２８）があり、ディスペンサキャップの円周の４分の１よりもわずかに小さい寸法の弧をカバーしている。図２Ａに示す可動部材（１０）の側部部片（２９）は、くぼみ（２８）内に部分的に嵌合する。くぼみ（２８）は、スカート（１１）の底部の近くから内側にすぐに載り、スカート（１１）の上部（３０）へ同じ深さで延びている。くぼみ（２８）は、可動部材（１０）を保持することの支援のために、その側面に溝（３１）を有する（図５参照）。棚（１８）の高さから約２０％の点で（くぼみ（２８）の下端部を始点として使用する）、くぼみ（２８）の壁（３２）が、内側に下向きに突き出しているチューブ（１５）の外壁（３３）と出会うまで内側に直交して載っている。そのように形成されたプラットホーム（３４）の外縁部に、くぼみ（２８）の弧内の中心に配置されて、上向きに突き出している壁（３２）の直角延長部（３５）がある。上向きに突き出している直角延長部（３５）の下縁部と隣接して、棚（３４）内に矩形の孔（３６）がある。上向きに突き出している直角延長部（３５）の内部表面（３７）は、孔（３６）に向かって内向きに傾斜している。
【００４０】
可動部材（１０）は、図２Ａに示すように、ドーム型の上部セクション（１４）および側部部片（２９）を備える。ドーム型の上部セクション（１４）の下側から、上側に突き出しているチューブ（２１）を覆って嵌合するように形成された管状のセクション（３８）と、３つの開口部（２３）を画定している底部セクション（５Ｂ）のセグメント（２２）が突き出している（図２Ｂ参照）。ドーム型の上部セクション（１４）および管状のセクション（３８）は、３つの開口部（２３）を画定している底部セクション（５Ｂ）のセグメント（２２）のためのカバーとして働く。ドーム型の上部セクション（１４）は、装置の上部底部軸と実質上直交している。管状セクション（３８）の内側の隆起部（３９）は、前記チューブ（２１）を覆ってぴったりと嵌合するのを支援して、底部で上向きに突き出しているチューブ（２１）と接触する。平坦なストッパ（２６）は、装置が非動作可能状態にあるとき、セグメント（２２）のためのカバー（（１４）および（３８））の上部セクション（１４）によって画定されたスプレー孔（４０）のために遮蔽手段として働く。平坦なストッパ（２６）は、可動部材（１０）が動作可能状態を与えるためにわずかに上向きに滑動されるとき、スプレー孔（４０）を遮蔽しない。スプレー孔（４０）は、外側に向かって直径が広がる。ドーム型の上部セクション（１４）の下縁部から、短いスカート（４１）が下向きに突き出しており、棚（１８）の上方のチューブ（１５）部分内に嵌合する。
【００４１】
上部セクション（１４）の中央部分は、図３および４に示すように、側部部片（２９）に向かって外向きに広がる。図２Ａおよび２Ｂを参照すると、側部部片（２９）は、くぼみ（２８）の壁（３２）と嵌合し、前記くぼみ（２８）内に嵌入する。側部部片（２９）は、上側セクション（４２）でより厚く、内側へ傾斜して載り、より薄い下側セクション（４３）を形成する。傾斜した棚（４４）は、装置の使用者が、可動部片（１０）を上向きに押し、装置を片手で使用することを支援している。
【００４２】
可動部片（１０）の運動は、上部セクション（１４）から下向きに突き出して、プラットホーム（３４）内の孔（３６）を通過する矩形断面のストラット（ｓｔｒｕｔ）（４５）によって制限されている。傾斜している表面（３７）は、ストラット（４５）を装置の中心軸のほうへ押すように機能し、保持キャッチ（４６）は、可動片（１０）が保持キャッチ（４６）が棚（３４）の下側面と接触している点の上方へ上向きに滑動するのを防ぐ役割を果たす。可動部材（１０）の側面の支持部材（４７）が、ドーム型の上部セクション（１４）と側部部片（２９）の間の結合を補強することを助ける。
【００４３】
図３および４をさらに参照すると、短いスカート（４１）が、ドーム型の上部セクション（１４）の下側から下向きに突き出している短い補強構造（４８）によって支持されている。また、図３および４に示すように、管状のセクション（３８）、スプレー孔（４０）、ストラット（４５）およびその保持キャッチ（４６）、溝（３１）内に嵌合する突起（４９）（図５参照）が示されており、側部部片（２９）を定位置に保持することを助ける。
【００４４】
図５は、くぼみ（２８）の壁（３２）および外側スカート（１１）に対する溝（３１）の位置を示している。また、プラットホーム（３４）の下側面およびその上向きに突き出している矩形の延長部（３５）、保持キャッチ（４６）、底部セクション（５Ｂ）のドーム型の上部（１２）の内側から下向きに突き出しているチューブ（１５）、内側に下向きに突き出しているチューブ（１９）、その平坦な下端部（２０）の底部、およびそこから上向きに突き出しているチューブ（２１）、および上向きに突き出しているチューブ（２１）の三角形断面の孔（２７Ｂ）が示されている。浸漬チューブ（５０）が、上向きに突き出しているチューブ（２１）の三角形断面の孔（２７Ｂ）内の断面図で示されており、相対的な寸法は、浸漬チューブ（５０）が、三角形の孔（２７Ｂ）内へ押し込まれたとき上向きに突き出しているチューブ（２１）によって保持されるようにされている。
【図面の簡単な説明】
【００４５】
【図１】変形可能なプラスチックボトル（１）を示す図である。
【図２Ａ】ディスペンサキャップ（５）を示す図であり、（取り外された）可動部材（１０）の側面図である。
【図２Ｂ】ディスペンサキャップ（５）を示す図であり、底部セクション（５Ｂ）を示す図である。
【図３】（取り外された）可動部材（１０）の上面図である。
【図４】（取り外された）可動部材（１０）の底面図である。
【図５】可動部材（１０）が定位置にある、ディスペンサキャップ（５）の下側から見た図である。
【図１】
2005517601.tif 000003
【図２Ａ】
2005517601.tif 000004
【図２Ｂ】
2005517601.tif 000005
【図３】
2005517601.tif 000006
【図４】
2005517601.tif 000007
【図５】
2005517601.tif 000008
【国際調査報告】
2005517601.tif 000009
2005517601.tif 000010
2005517601.tif 000011
2005517601.tif 000012
2005517601.tif 000013